(57)【要約】【課題】電源コンセントのない場所において吸湿剤による除湿を効率良く行い得、吸湿剤の再生も簡単に実施できる除湿装置を提供する。【解決手段】除湿装置１は除湿機１０と充電スタンド３０により構成される。除湿機１０は、筐体１１の内部に、加熱により放湿する吸湿剤１８を充填した吸湿剤ケージ１２と、外部の空気を通気口１９より筐体１１内に吸込み、吸湿剤１８を通過させた後、排気口２１から排出するファンモータユニット１４と、ファンモータユニット１４の電源となる二次電池１５を備えている。充電スタンド３０は、コラム部３２の中にヒータ３５を備えている。コラム部３２の側面と筐体１１の側面には、ヒータ３５が生成した熱気が除湿機１０側に流れることを可能とする連通開口３６、２２が形成され、ファンモータユニット１４を駆動することにより熱気が除湿機１０に引き込まれる。【選択図】図２
2011016098.tif 000002
【特許請求の範囲】
【請求項１】
筐体内に、加熱により放湿する吸湿剤と、外部の空気を前記筐体内に吸込み、前記吸湿剤を通過させた後筐体外に排出するファンモータユニットと、前記ファンモータユニットの電源となる二次電池とを備えた除湿機と、前記除湿機を保持して前記二次電池の充電を行う充電スタンドとを備え、
前記除湿機が前記充電スタンドに保持されたとき、前記充電スタンドからの給電で発熱して前記吸湿剤を加熱し放湿を行わせるヒータが前記充電スタンド側または前記除湿機側に設けられていることを特徴とする除湿装置。
【請求項２】
前記二次電池を完全放電状態から満充電状態まで充電するのに要する時間よりも、前記吸湿剤を飽和吸湿状態から乾燥状態まで放湿させるのに要する時間の方が短くなるように、前記ヒータの発熱量を設定したことを特徴とする請求項１に記載の除湿装置。
【請求項３】
前記ヒータの通電制御を行う制御装置は、前記二次電池が満充電状態になったとき、前記ヒータへの通電を停止することを特徴とする請求項１に記載の除湿装置。
【請求項４】
前記ヒータは前記充電スタンド内に配置され、前記充電スタンドと前記除湿機には、前記ヒータが生成した熱気が前記除湿機側に流れることを可能とする連通開口が形成されていることを特徴とする請求項１から３のいずれか１項に記載の除湿装置。
【請求項５】
前記除湿機内の前記ファンモータユニットを駆動することにより、前記連通開口を通じて前記除湿機内に前記熱気を引き込むことを特徴とする請求項４に記載の除湿装置。
【請求項６】
前記充電スタンドに設けたファンモータユニットを駆動することにより、前記連通開口を通じて前記除湿機内に前記熱気を吹き込むことを特徴とする請求項４に記載の除湿装置。
【請求項７】
前記充電スタンドは水平なベース部と垂直なコラム部を有するＬ字形状であり、前記コラム部に前記連通開口が形成されていることを特徴とする請求項４から６のいずれか１項に記載の除湿装置。
【請求項８】
前記ヒータは前記充電スタンド内に配置され、前記充電スタンドの外面には前記ヒータの熱を伝える伝熱接点が露出しており、前記除湿機には、前記伝熱接点に接触して熱を受け取り、それを前記吸湿剤に伝える伝熱板が設けられていることを特徴とする請求項１から３のいずれか１項に記載の吸湿装置。
【請求項９】
前記充電スタンドは水平なベース部と垂直なコラム部を有するＬ字形状であり、前記コラム部に前記伝熱接点が配置されていることを特徴とする請求項８に記載の除湿装置。
【請求項１０】
前記除湿機には、前記吸湿剤の色を測定する測色センサと、吸湿が進んだことによる前記吸湿剤の色変化を前記測色センサが検知したとき、警告を発する通報装置が設けられていることを特徴とする請求項１から９のいずれか１項に記載の除湿装置。
【請求項１１】
前記除湿機には、前記吸湿剤を通過する空気中にオゾンを放出するオゾン発生装置が設けられていることを特徴とする請求項１から１０のいずれか１項に記載の除湿装置。
【請求項１２】
前記オゾン発生装置は、空気中の湿度が所定値以上のときに稼動せしめられることを特徴とする請求項１１に記載の除湿装置。
【発明の詳細な説明】
【技術分野】
【０００１】
本発明は除湿装置に関する。
【背景技術】
【０００２】
除湿装置には様々な方式のものがある。吸湿剤を用いるものもその一つであり、特許文献１、２に例を見ることができる。
【０００３】
特許文献１に記載された除湿装置は、塩化カルシウムや塩化マグネシウム等の潮解性乾燥剤を吸湿剤として用い、水分を吸収した吸湿剤をヒータで加熱して水分を蒸発させ、吸湿剤の再生を行っている。
【０００４】
特許文献２に記載された除湿装置は、加熱によって吸湿力を回復できる、シリカゲル等の吸湿剤を用い、電気ヒータの熱や太陽熱で加熱される空気加熱部により吸湿剤の再生を行っている。
【先行技術文献】
【特許文献】
【０００５】
【特許文献１】特開平９−２９９７３９号公報（国際特許分類：Ｂ０１Ｄ５３／２６）
【特許文献２】特開２０００−１５０４２号公報（国際特許分類：Ｂ０１Ｄ５３／２６）
【発明の概要】
【発明が解決しようとする課題】
【０００６】
家庭内では、押し入れやシューズロッカー等の比較的狭い密閉空間に湿気がたまりやすく、このような場所で簡便に使用できる除湿装置が待ち望まれている。
【０００７】
本発明は上記要請に鑑みなされたものであり、電源コンセントのない場所において吸湿剤による除湿を効率良く行い得、吸湿剤の再生も簡単に実施できる除湿装置を提供することを目的とする。
【課題を解決するための手段】
【０００８】
上記目的を達成するために、本発明に係る除湿装置は、筐体内に、加熱により放湿する吸湿剤と、外部の空気を前記筐体内に吸込み、前記吸湿剤を通過させた後筐体外に排出するファンモータユニットと、前記ファンモータユニットの電源となる二次電池とを備えた除湿機と、前記除湿機を保持して前記二次電池の充電を行う充電スタンドとを備え、前記除湿機が前記充電スタンドに保持されたとき、前記充電スタンドからの給電で発熱して前記吸湿剤を加熱し放湿を行わせるヒータが前記充電スタンド側または前記除湿機側に設けられていることを特徴としている。
【０００９】
この構成によると、除湿機は、ファンモータユニットにより空気を積極的に流動させて吸湿剤を通過させるものであるから、除湿を効率良く行うことができる。ファンモータユニットの動力源は二次電池であるため、通常は電源コンセントなど備えられることのない押し入れやシューズロッカー等でも使用可能である。また、二次電池の充電を行うために除湿機を充電スタンドに保持させたとき、充電スタンドからの給電でヒータを発熱させて吸湿剤を加熱し放湿を行わせるものであるから、十分な熱量を投入して、吸湿剤を速やかに再生することができる。
【００１０】
また本発明は、上記構成の除湿装置において、前記二次電池を完全放電状態から満充電状態まで充電するのに要する時間よりも、前記吸湿剤を飽和吸湿状態から乾燥状態まで放湿させるのに要する時間の方が短くなるように、前記ヒータの発熱量を設定したことを特徴としている。
【００１１】
この構成によると、二次電池の充電中に、吸湿剤を完全に再生することができる。
【００１２】
また本発明は、上記構成の除湿装置において、前記ヒータの通電制御を行う制御装置は、前記二次電池が満充電状態になったとき、前記ヒータへの通電を停止することを特徴としている。
【００１３】
この構成によると、二次電池の満充電を除湿機再稼動の条件として、除湿機を速やかに再稼動することができる。
【００１４】
また本発明は、上記構成の除湿装置において、前記ヒータは前記充電スタンド内に配置され、前記充電スタンドと前記除湿機には、前記ヒータが生成した熱気が前記除湿機側に流れることを可能とする連通開口が形成されていることを特徴としている。
【００１５】
この構成によると、ヒータを備えない分だけ除湿機をコンパクト化できる。ヒータへの電力供給も容易である。
【００１６】
また本発明は、上記構成の除湿装置において、前記除湿機内の前記ファンモータユニットを駆動することにより、前記連通開口を通じて前記除湿機内に前記熱気を引き込むことを特徴としている。
【００１７】
この構成によると、熱気を積極的に除湿機内に引き込んで吸湿剤を速やかに加熱し放湿させることができる。熱気の引き込みには除湿機が元来備えるファンモータユニットを利用するから、新たなファンモータユニットは必要ない。
【００１８】
また本発明は、上記構成の除湿装置において、前記充電スタンドに設けたファンモータユニットを駆動することにより、前記連通開口を通じて前記除湿機内に前記熱気を吹き込むことを特徴としている。
【００１９】
この構成によると、ヒータの発熱量とバランスのとれた流量の空気流を容易に確保することができる。また、除湿機側のファンモータユニットは休ませておけるので、除湿機側のファンモータが早期に消耗することを防ぐことができる。
【００２０】
また本発明は、上記構成の除湿装置において、前記充電スタンドは水平なベース部と垂直なコラム部を有するＬ字形状であり、前記コラム部に前記連通開口が形成されていることを特徴としている。
【００２１】
この構成によると、充電スタンドのコラム部により除湿機をしっかりと保持した上、熱気の通り道を容易に確保できる。
【００２２】
また本発明は、上記構成の除湿装置において、前記ヒータは前記充電スタンド内に配置され、前記充電スタンドの外面には前記ヒータの熱を伝える伝熱接点が露出しており、前記除湿機には、前記伝熱接点に接触して熱を受け取り、それを前記吸湿剤に伝える伝熱板が設けられていることを特徴としている。
【００２３】
この構成によると、ヒータを備えない分だけ除湿機をコンパクト化できる。ヒータへの電力供給も容易である。
【００２４】
また本発明は、上記構成の除湿装置において、前記充電スタンドは水平なベース部と垂直なコラム部を有するＬ字形状であり、前記コラム部に前記伝熱接点が配置されていることを特徴としている。
【００２５】
この構成によると、充電スタンドのコラム部により除湿機をしっかりと保持した上、熱の伝達経路を容易に確保できる。
【００２６】
また本発明は、上記構成の除湿装置において、前記除湿機には、前記吸湿剤の色を測定する測色センサと、吸湿が進んだことによる前記吸湿剤の色変化を前記測色センサが検知したとき、警告を発する通報装置が設けられていることを特徴としている。
【００２７】
この構成によると、吸湿剤を再生すべき時期を容易に知ることができる。
【００２８】
また本発明は、上記構成の除湿装置において、前記除湿機には、前記吸湿剤を通過する空気中にオゾンを放出するオゾン発生装置が設けられていることを特徴としている。
【００２９】
この構成によると、吸湿剤の表面や内部に細菌やカビが繁殖することをオゾンにより抑止できる。
【００３０】
また本発明は、上記構成の除湿装置において、前記オゾン発生装置は、空気中の湿度が所定値以上のときに稼動せしめられることを特徴としている。
【００３１】
この構成によると、細菌やカビが繁殖しやすい条件のときのみオゾン発生装置を稼動させることにより、節電効果を生み、オゾン発生装置の消耗を防ぎ、また、使用者が過度にオゾンにさらされないようにすることができる。
【発明の効果】
【００３２】
本発明によると、電源コンセントのない場所でも吸湿剤による除湿を効率良く行うことができ、また吸湿能力を容易に回復することができる除湿装置が得られる。
【図面の簡単な説明】
【００３３】
【図１】本発明の第１実施形態に係る除湿装置の斜視図である。
【図２】第１実施形態の除湿装置の垂直断面図である。
【図３】第１実施形態の除湿装置に含まれる除湿機の斜視図である。
【図４】図３の除湿機の切断斜視図である。
【図５】第１実施形態の除湿装置に含まれる充電スタンドの斜視図である。
【図６】図５の充電スタンドの、視点を変えた斜視図である。
【図７】第１実施形態の除湿装置に含まれる除湿機と充電スタンドの切断斜視図である。
【図８】吸湿剤の吸放湿特性グラフである。
【図９】本発明の第２実施形態に係る除湿装置の垂直断面図である。
【図１０】本発明の第３実施形態に係る除湿装置に含まれる除湿機と充電スタンドの切断斜視図である。
【図１１】本発明の第３実施形態に係る除湿装置に含まれる除湿機と充電スタンドの切断斜視図であって、図１０とは切断部位を異ならせたものである。
【図１２】第３実施形態の除湿装置に含まれる充電スタンドの斜視図である。
【図１３】第３実施形態の除湿装置に含まれる除湿機の切断斜視図である。
【図１４】本発明の第４実施形態に係る除湿装置に含まれる除湿機の斜視図である。
【図１５】第４実施形態の除湿装置の垂直断面図である。
【図１６】本発明の第５実施形態に係る除湿装置の垂直断面図である。
【発明を実施するための形態】
【００３４】
本発明に係る除湿装置の第１実施形態を図１から図８までの図に基づき説明する。
【００３５】
除湿装置１は除湿機１０と充電スタンド３０により構成される。除湿機１０は、偏平な直方体を、最も広い面が正面と背面になるようにして立てた形状の合成樹脂製筐体１１を有する。筐体１１の内部は上下２段に区画されており、上方の区画は筐体１１を一回り小型にした形状の吸湿剤ケージ１２を収容する吸湿剤保持空間１３となり、下方の区画はファンモータユニット１４及びその電源となる二次電池１５を収容する動力部空間１６となっている。
【００３６】
吸湿剤ケージ１２は周囲に多数の小さな円形の通気口１７を有し、内部には細孔内に水分を取り込む多孔物質からなる粒状の吸湿剤１８（図４参照）が充填されている。第１実施形態では、吸湿剤１８としてＢ型シリカゲルを使用する。Ｂ型シリカゲルは図８に示す吸着等温線のように吸湿と放湿を行うものであり、加熱することで放湿を行わせ、再生することができる。
【００３７】
吸湿剤保持空間１３の正面側側壁と背面側側壁、及び天井壁には、それぞれ横長のスリットの集合からなる通気口１９が形成されている。また吸湿剤保持空間１３と動力部空間１６を隔てる仕切壁には、小孔の集合からなる通気口２０が形成されている。
【００３８】
ファンモータユニット１４のファンはタンジェンシャルファン（クロスフローファン）であり、モータは直流モータである。動力部空間１６の正面側側壁には、ファンモータユニット１４が空気を吐出するための横長の排気口２１が形成されている。
【００３９】
充電スタンド３０は、テーブルや床のような水平面の上に置かれる水平なベース部３１と、ベース部３１の一端から垂直に立ち上がるコラム部３２を有し、全体としてＬ字形状をなしている。充電スタンド３０は図示しない充電回路を内蔵し、外部には、これも図示しないが、商用電源に接続される電源コードを備えている。
【００４０】
除湿機１０は、一方の側壁をコラム部３２に沿わせる形で充電スタンド３０のベース部３１に載置される。ベース部３１には、コラム部３２と反対側の端に、コラム部３２との間で除湿機１０を挟む、背の低い立ち上がり部３３が形成されている。立ち上がり部３３の、除湿機１０に対面する側面には、図６に示すように１対の接点３４が設けられており、除湿機１０の側面には、接点３４に対応する１対の接点（図示せず）が設けられている。除湿機１０をベース部３１に載置すると接点同士が接触し、二次電池１５に充電スタンド３０より充電電流が供給される。
【００４１】
コラム部３２の内部にはヒータ３５が配置される。ヒータ３５はセラミックヒータであり、充電スタンド３０が外部の商用電源から取り入れる、電圧１００Ｖの交流電流を給電されて発熱する。ヒータ３５が発熱すると、その周囲の空気が熱せられ、熱気となる。この熱気を除湿機１０に流すため、コラム部３２の側面と除湿機１０の側面には、互いに密着する連通開口３６と連通開口２２が形成される。コラム部３２には、連通開口３６が存在する側と反対側の側面に、ヒータ３５に流すための空気を取り入れる通気口３７が形成されている。
【００４２】
除湿装置１の用い方は次の通りである。除湿機１０を充電スタンド３０から取り外し、除湿をしたい空間に除湿機１０を置く。そして図示しないスイッチをＯＮにし、ファンモータユニット１４を駆動する。ファンモータユニット１４が排気口２１から空気を吐出すると、吸湿剤保持空間１３から動力部空間１６へ、通気口２０を通じて空気が移動する。これにより、外部空気が通気口１９を通じて吸湿剤保持空間１３に吸込まれることになる。
【００４３】
吸湿剤保持空間１３に吸込まれた空気は、通気口１７を通じて吸湿剤ケージ１２内の吸湿剤１８に接触し、吸湿される。そして排気口２１から排出される。このように、空気が積極的に除湿機１０に吸込まれては吸湿剤１８で除湿され、排出されるという循環が生じる結果、除湿機１０が置かれた空間は効率良く除湿される。
【００４４】
吸湿剤１８が十分に吸湿するか、二次電池１５の充電残量が少なくなったら、除湿機１０を充電スタンド３０にセットして、二次電池１５の充電と吸湿剤１８の再生を行う。充電スタンド３０が商用電源に接続されていれば、除湿機１０が充電スタンド３０にセットされるや否や二次電池１５の充電が開始される。ヒータ３５への給電は、除湿機１０が充電スタンド３０にセットされることにより自動的に開始されるようにしてもよく、あるいは、充電スタンド３０にスイッチを設け、そのスイッチを操作することにより開始されるようにしてもよい。
【００４５】
ヒータ３５への通電が行われている間、充電スタンド３０側の制御装置と除湿機１０側の制御装置（いずれも図示せず）は、協同して、ファンモータユニット１４を駆動する。すると、ヒータ３５が生成した熱気が連通開口３６、２２を通じて除湿機１０内に引き込まれ、吸湿剤１８に接触する。これにより、吸湿剤１８を速やかに加熱し、放湿させることができる。商用の交流電流を使用するため、ヒータ３５の発熱量を十分に確保でき、吸湿剤１８を速やかに再生することができる。
【００４６】
二次電池１５を完全放電状態から満充電状態まで充電するのに要する時間よりも、吸湿剤１８を飽和吸湿状態から乾燥状態まで放湿させるのに要する時間の方が若干短くなるように、ヒータ３５の発熱量を設定する。これにより、二次電池１５の充電中に、吸湿剤１８を完全に再生することができる。
【００４７】
ヒータ３５の通電制御を行う充電スタンド３０の制御装置は、二次電池１５が満充電状態になったとき、ヒータ３５への通電を停止するようにすることができる。これにより、二次電池１５の満充電を除湿機１０の再稼動の条件として、除湿機１０を速やかに再稼動することができる。
【００４８】
除湿装置１の第２実施形態を図９に示す。第２実施形態が第１実施形態と異なる点は、コラム部３２の中に、ファンモータユニット１４と同様のファンモータユニット３８を設けたことである。ファンモータユニット３８は通気口３７とヒータ３５の間に配置され、ヒータ３５に通電が行われている間、通気口３７から空気を吸込んでヒータ３５に吹き付ける。ヒータ３５が生成する熱気は、ファンモータユニット３８が発生する風圧で、連通開口３６、２２を通じて除湿機１０に吹き込まれることになる。このように構成することにより、ヒータ３５の発熱量とバランスのとれた流量の空気流を容易に確保することができる。また、ファンモータユニット１４は休ませておけるので、それが早期に消耗することを防ぐことができる。しかしながら、ファンモータユニット３８と同時にファンモータユニット１４を駆動するように構成することも可能である。そのようにすれば、除湿機１０の内部を熱気が力強く通り抜けるから、吸湿剤１８を速やかに加熱し、放湿させることができる。
【００４９】
除湿装置１の第３実施形態を図１０から図１３に示す。第３実施形態が第１実施形態及び第２実施形態と異なるのは、吸湿剤１８の加熱の仕方である。すなわち第３実施形態では、コラム部３２の中にヒータ３９を設け、ヒータ３９が発する熱を、アルミニウムや銅などといった良熱伝導体の金属からなる伝熱接点４０を通じて外部に導く。図１２に見られる通り、伝熱接点４０はコラム部３２の側面に露出している。これに対応して、除湿機１０の側では、吸湿剤ケージ１２の内部に伝熱板２３（これもアルミニウムや銅など熱伝導の良好な金属で形成するのが望ましい）を設ける。伝熱板２３は、吸湿剤ケージ１２の内部空間を前後に二分するように広がっており、その一部は除湿機１０の側面に露出している。この伝熱板２３の露出個所が、除湿機１０を充電スタンド３０にセットしたとき、伝熱接点４０に接触して熱を受け取る。受け取った熱は伝熱板２３を通じて吸湿剤ケージ１２の隅々にまで伝えられ、これにより吸湿剤１８は加熱され、放湿する。
【００５０】
除湿装置１の第４実施形態を図１４と図１５に示す。第４実施形態の特徴は、除湿機１０に吸湿剤１８の色を測定する測色センサ５０を設けた点にある。吸湿剤１８としては、例えば、塩化コバルトを吸着させたシリカゲルであって、乾燥時は青色であるが、吸湿するとピンクに変色するものを使用する。吸湿剤１８を加熱する仕組み自体は、第１から第３までのいずれの実施形態の方式であってもよい。
【００５１】
測色センサ５０は、吸湿剤保持空間１３の、吸湿剤ケージ１２より上の位置に配置する。吸湿剤ケージ１２には、測色センサ５０から吸湿剤１８を見通せる個所に透明窓１２ａを形成する。吸湿剤ケージ１２の外側には、透明窓１２ａを通じて吸湿剤ケージ１２の内部を照らすランプ５１が配置される。
【００５２】
さらに、吸湿剤１８の吸湿が進んだことを報知する通報装置５２が設けられる。通報装置５２は、回路基板５３と、回路基板５３の下面に形成された制御装置５４と、回路基板５３の上面に設置されたランプ５５からなる。回路基板５３は測色センサ５０とランプ５１を支持するものでもあり、制御装置５４は測色センサ５０とランプ５１の制御装置を兼ねる。筐体１１の天面には、ランプ５５を透視させる透明なドーム５６が設けられる。ランプ５１、５５には発光ダイオードを用いることができる。
【００５３】
除湿機１０が除湿を行っている間、制御装置５４は所定のサンプリングレートで（例えば１時間間隔で）ランプ５１を所定時間点灯し、測色センサ５０に吸湿剤１８の色の測定を行わせる。吸湿が進み、吸湿剤１８の色の変化が所定の閾値に達したことを測色センサ５０が検知したら、制御装置５４はランプ５５を点灯させる。これが、吸湿が進んだことを報知する警告となる。警告を目にした使用者は除湿機１０を充電スタンド３０にセットし、吸湿剤１８を加熱して放湿を行わせる。放湿が進み、再生完了状態になると、吸湿剤１８は元の色を取り戻す。
【００５４】
ランプ５５は、図示しないリセットボタンを使用者が押すまで、連続点灯、あるいは点滅させるものとする。このような、光による警告に代えて、音で警告を行うようにしてもよい。光と音を併用してもよい。
【００５５】
なお、全ての吸湿剤１８が塩化コバルトを吸着させたシリカゲルである必要はない。吸着剤ケージ１２の上部に小室１２ｂを形成し、小室１２ｂにのみ塩化コバルトを吸着させたシリカゲルを入れ、吸着剤ケージ１２の残りの空間には普通のシリカゲルを入れる構成とすることも可能である。この場合、小室１２ｂの側壁や底壁にも通気口１７を形成しておく。
【００５６】
普通のシリカゲルの色変化を監視する必要はないので、小室１２ｂとその下の空間との間の仕切壁には透明窓１２ａを形成しないでおくことができる。他方、小室１２ｂの天井部は、全体を透明パネルで構成することも可能である。
【００５７】
除湿装置１の第５実施形態を図１６に示す。第５実施形態の特徴は、吸湿剤１８を通過する空気中にオゾンを放出するオゾン発生装置６０を設けた点にある。吸湿剤１８を加熱する仕組み自体は、第１から第３までのいずれの実施形態の方式であってもよい。
【００５８】
オゾン発生装置６０は、吸湿剤保持空間１３の、吸湿剤ケージ１２より上の位置に配置する。吸湿剤保持空間１３の、吸湿剤ケージ１２より下の位置には湿度センサ６１を配置する。
【００５９】
オゾン発生装置６０は、除湿運転期間または充電期間であって、ファンモータユニット１４の駆動により吸湿剤１８を通過する空気流が形成されている間に、電圧を印加され、オゾンを発生する。オゾンは吸湿剤１８を通過する空気中に放出されるので、吸湿剤１８の表面や内部に細菌やカビが繁殖することをオゾンで抑止できる。
【００６０】
オゾン発生装置６０は、空気中の湿度が所定値以上であることを湿度センサ６１が検知したときに稼動することとすることができる。このようにすれば、細菌やカビが繁殖しやすい条件のときのみオゾン発生装置６０を稼動させることにより、節電効果を生み、オゾン発生装置６０の消耗を防ぎ、また、使用者が過度にオゾンにさらされないようにすることができる。
【００６１】
吸湿剤１８を紫外線で照射する紫外線殺菌ランプを吸湿剤保持空間１３に設けて、オゾンの効力を補強することもできる。但し、紫外線殺菌ランプは電力消費量が大きいので、除湿機１０が充電スタンド３０にセットされ、充電スタンド３０から十分な給電を期待できるときのみ使用可能な構成とする必要がある。
【００６２】
これまでの実施形態では、吸湿剤１８を加熱するヒータを充電スタンド３０の側に設けていたが、除湿機１０の側にヒータを設ける構成とすることもできる。このヒータへの給電も、除湿機１０を充電スタンド３０にセットしたときに、充電スタンド３０より行うものとする。
【００６３】
長期間の使用により吸湿剤１８の表面に汚染物質が付着するなどして、吸湿剤１８を十分に再生できなくなったときは、吸湿剤１８を新しいものに交換する必要がある。そのため、筐体１１は吸湿剤ケージ１２を出し入れ可能な構造とされるが、このことを利用して、吸湿剤ケージ１２を太陽光の下に置き、太陽熱で吸湿剤１８の放湿を行わせることもできる。吸熱を促進するため、吸湿剤ケージ１２を銅など熱伝導の良い金属で形成し、さらに、太陽熱を吸収しやすい暗色に着色しておくのがよい。筐体１１も同種の金属で形成し、暗色に着色しておけば、吸湿剤ケージ１２を筐体１１から取り出さないまま除湿機１０を太陽光の下に置いても同様の効果を期待できる。
【００６４】
以上、本発明の実施形態につき説明したが、本発明の範囲はこれに限定されるものではなく、発明の主旨を逸脱しない範囲で種々の変更を加えて実施することができる。
【産業上の利用可能性】
【００６５】
本発明は、吸湿剤を用いる除湿装置装置に広く利用可能である。
【符号の説明】
【００６６】
１    除湿装置
１０  除湿機
１１  筐体
１２  吸湿剤ケージ
１４  ファンモータユニット
１５  二次電池
１７  通気口
１８  吸湿剤
１９  通気口
２０  通気口
２１  排気口
２２  連通開口
２３  伝熱板
３０  充電スタンド
３１  ベース部
３２  コラム部
３５  ヒータ
３６  連通開口
３８  ファンモータユニット
３９  ヒータ
４０  伝熱接点
５０  測色センサ
５２  通報装置
６０  オゾン発生装置
６１  湿度センサ
【図１】
2011016098.tif 000003
【図２】
2011016098.tif 000004
【図３】
2011016098.tif 000005
【図４】
2011016098.tif 000006
【図５】
2011016098.tif 000007
【図６】
2011016098.tif 000008
【図７】
2011016098.tif 000009
【図８】
2011016098.tif 000010
【図９】
2011016098.tif 000011
【図１０】
2011016098.tif 000012
【図１１】
2011016098.tif 000013
【図１２】
2011016098.tif 000014
【図１３】
2011016098.tif 000015
【図１４】
2011016098.tif 000016
【図１５】
2011016098.tif 000017
【図１６】
2011016098.tif 000018